(57)【要約】      （修正有）【課題】搬送力の低下や傾輪の発生等を抑制して硬貨の搬送を良好に行うことができる硬貨搬送装置を提供する。【解決手段】入金された硬貨を金種毎に振り分けて収納し、出金指示によって収納する硬貨を払い出す硬貨処理機に適用され、硬貨の搬送を行う硬貨搬送装置１０であって、互いに対向する態様で設置されたガイド壁２１，２２間に設置された円柱状の軸部と、軸部の外周面に径外方向に突出する突起部が螺旋状に設けられた刃部とを有し、軸部の中心軸回りに回転することで硬貨を搬送するスクリュー型搬送部材３０を備え、刃部は、突起部により構成されるピッチ間において、一の突起部の外端部から他の突起部の内端部に向けて軸部の外周面を覆う態様で傾斜する傾斜部を有している。【選択図】図２
2018088159.tif 000002
【特許請求の範囲】
【請求項１】
入金された硬貨を金種毎に振り分けて収納し、出金指示によって収納する硬貨を払い出す硬貨処理機に適用され、前記硬貨の搬送を行う硬貨搬送装置であって、
互いに対向する態様で設置されたガイド壁間に設置された円柱状の軸部と、前記軸部の外周面に径外方向に突出する突起部が螺旋状に設けられた刃部とを有し、前記軸部の中心軸回りに回転することで硬貨を搬送するスクリュー型搬送部材を備え、
前記刃部は、突起部により構成されるピッチ間において、一の突起部の外端部から他の突起部の内端部に向けて前記軸部の外周面を覆う態様で傾斜する傾斜部を有することを特徴とする硬貨搬送装置。
【請求項２】
前記傾斜部は、硬貨の搬送方向の下流側の突起部の外端部から上流側の突起部の内端部に向けて傾斜することを特徴とする請求項１に記載の硬貨搬送装置。
【発明の詳細な説明】
【技術分野】
【０００１】
本発明は、硬貨搬送装置に関し、より詳細には、入金された硬貨を金種毎に振り分けて収納し、出金指示によって収納する硬貨を払い出す硬貨処理機に適用される硬貨搬送装置に関するものである。
【背景技術】
【０００２】
従来、例えば釣銭機として適用される硬貨処理機は、入金部を通じて入金された硬貨の真偽及び金種を識別した後、正貨として識別された硬貨を自動的に取り込んで金種毎に設けられた硬貨収納庫に収納するものである。また、硬貨処理機は、硬貨収納庫に収納されている硬貨を、外部の装置等からの釣銭払出要求に応じて要求金額の硬貨を釣銭として出金部より払い出すものである（例えば、特許文献１参照）。
【先行技術文献】
【特許文献】
【０００３】
【特許文献１】特開２０１１−３９７７３号公報
【発明の概要】
【発明が解決しようとする課題】
【０００４】
ところで、上記硬貨処理機では、硬貨の搬送は、一対のローラに無端状に張設されたベルトにより行われていたために、搬送される硬貨による汚れ等に起因する摩擦力の低下による搬送力の低下、あるいはベルト上で転動して定位置に居続ける傾輪の発生という搬送不具合が生じていた。
【０００５】
本発明は、上記実情に鑑みて、搬送力の低下や傾輪の発生等を抑制して硬貨の搬送を良好に行うことができる硬貨搬送装置を提供することを目的とする。
【課題を解決するための手段】
【０００６】
上記目的を達成するために、本発明に係る硬貨搬送装置は、入金された硬貨を金種毎に振り分けて収納し、出金指示によって収納する硬貨を払い出す硬貨処理機に適用され、前記硬貨の搬送を行う硬貨搬送装置であって、互いに対向する態様で設置されたガイド壁間に設置された円柱状の軸部と、前記軸部の外周面に径外方向に突出する突起部が螺旋状に設けられた刃部とを有し、前記軸部の中心軸回りに回転することで硬貨を搬送するスクリュー型搬送部材を備え、前記刃部は、突起部により構成されるピッチ間において、一の突起部の外端部から他の突起部の内端部に向けて前記軸部の外周面を覆う態様で傾斜する傾斜部を有することを特徴とする。ここで、「突起部により構成されるピッチ間」とは、スクリュー型搬送部材を軸部の中心軸方向と直交する方向から見た場合に、互いに隣り合う突起部の間をいうものとする。
【０００７】
また本発明は、上記硬貨搬送装置において、前記傾斜部は、硬貨の搬送方向の下流側の突起部の外端部から上流側の突起部の内端部に向けて傾斜することを特徴とする。
【発明の効果】
【０００８】
本発明によれば、互いに対向する態様で設置されたガイド壁間に設置された円柱状の軸部と、この軸部の外周面に径外方向に突出する突起部が螺旋状に設けられた刃部とを有するスクリュー型搬送部材が、軸部の中心軸回りに回転することで硬貨を搬送するので、搬送される硬貨による汚れ等に起因する搬送力の低下や傾輪の発生という搬送不具合が生ずることを抑制できる。従って、搬送力の低下や傾輪の発生等を抑制して硬貨の搬送を良好に行うことができるという効果を奏する。
【０００９】
しかも、スクリュー型搬送部材を構成する刃部は、突起部により構成されるピッチ間において、一の突起部の外端部から他の突起部の内端部に向けて軸部の外周面を覆う態様で傾斜する傾斜部を有しているので、傾斜部とガイド壁との間隙を小さくすることができ、該間隙に硬貨が進入することにより生ずる硬貨詰まりの発生を抑制することができるという効果を奏する。
【図面の簡単な説明】
【００１０】
【図１】図１は、本発明の実施の形態である硬貨搬送装置が適用される硬貨処理機の構成を模式的に示す模式図である。
【図２】図２は、図１に示した硬貨処理機に適用される硬貨搬送装置を示す斜視図である。
【図３】図３は、図１に示したスクリュー型搬送部材を示す斜視図である。
【図４】図４は、図１に示したスクリュー型搬送部材を示す斜視図である。
【図５】図５は、図２に示した硬貨搬送装置の一部の構成要素を取り除いた状態を示す斜視図である。
【図６】図６は、図２に示した硬貨搬送装置が硬貨を搬送する状態を示す説明図である。
【発明を実施するための形態】
【００１１】
以下に添付図面を参照して、本発明に係る硬貨搬送装置の好適な実施の形態について詳細に説明する。
【００１２】
図１は、本発明の実施の形態である硬貨搬送装置が適用される硬貨処理機の構成を模式的に示す模式図である。ここで例示する硬貨処理機１は、例えば釣銭機として用いられるものであり、検銭部３、振分部４及び収納部５を備えている。
【００１３】
検銭部３は、入金部２を通じて入金された硬貨の真偽及び金種を鑑別するものである。ここで入金部２は、硬貨を投入するための硬貨投入口を有する部分であり、硬貨投入口より投入されることにより入金された硬貨を検銭部３に送出している。
【００１４】
この検銭部３は、正貨と鑑別した硬貨については、振分部４に送出する一方、偽貨と鑑別した硬貨については、出金部６に送出する。出金部６は、硬貨を払い出すための硬貨払出口を有する部分である。
【００１５】
振分部４は、検銭部３での鑑別結果、すなわち金種の鑑別結果に応じて、検銭部３から送出された硬貨を金種毎に振り分けて収納部５に送出するものである。
【００１６】
収納部５は、振分部４により金種毎に振り分けられた硬貨をそのまま金種毎に収納するものである。この収納部５は、出金指示が与えられた場合に、該当する硬貨を出金部６に送出するものである。
【００１７】
図２は、図１に示した硬貨処理機に適用される硬貨搬送装置を示す斜視図である。ここで例示する硬貨搬送装置１０は、収納部５から繰り出された硬貨を出金部６に搬送するものであり、装置本体２０及びスクリュー型搬送部材３０を備えて構成されている。
【００１８】
装置本体２０は、前側ガイド壁２１及び後側ガイド壁２２を有している。これら前側ガイド壁２１及び後側ガイド壁２２は、互いに前後一対となる態様で対向配置され、左右方向が長手方向となる長尺状壁部材である。前側ガイド壁２１及び後側ガイド壁２２は、左右両端部が互いに内面が対向する態様で配置された左右一対の側板２３，２４によって連結されている。これにより、上記装置本体２０においては、前側ガイド壁２１及び後側ガイド壁２２、並びに左右の側板２３，２４により囲繞される収容空間２５が形成されている。
【００１９】
このような装置本体２０においては、後側ガイド壁２２の上部に、収納部５から繰り出された硬貨の入口２６が形成されており、前側ガイド壁２１の右方側上部に、出金部６に硬貨を送出する出口２７が形成されている。
【００２０】
図３及び図４は、それぞれ図１に示したスクリュー型搬送部材３０を示す斜視図である。ここで例示するスクリュー型搬送部材３０は、上記装置本体２０における収容空間２５に収容されており、軸部３１と刃部３２とを有している。
【００２１】
軸部３１は、左右方向が長手方向となる円柱状部材である。この軸部３１には、右端面３１ａの中央部分より右方に突出する右側突部３１１が設けられているとともに、左端面３１ｂの中央部分より左方に突出する左側突部３１２（図６参照）が設けられている。
【００２２】
このような軸部３１は、右側突部３１１が右側の側板２３に形成された図示せぬ貫通孔を左方から貫通するとともに、左側突部３１２が左側の側板２４に形成された図示せぬ貫通孔を右方から貫通することにより、これら側板２３，２４間において、中心軸回りに回転可能に支持されている。ここで、軸部３１の中心軸は、スクリュー型搬送部材３０の中心軸と一致している。
【００２３】
そして、軸部３１の右側突部３１１には、図５に示すように、連係部材４１を介してモータ４２の出力軸に連係されている。
【００２４】
刃部３２は、軸部３１の左側半分の外周面を覆う態様で設けられており、突起部３２１と傾斜部３２２とを有している。
【００２５】
尚、本実施の形態では、刃部３２が軸部３１の左側半分の外周面を覆う態様で設けられているが、本発明では、刃部３２が軸部３１の外周面全域を覆う態様で設けられていてもよいし、軸部３１の一部の外周面を覆う態様で設けられていてもよい。
【００２６】
突起部３２１は、軸部３１の左側半分の外周面において該軸部３１の径外方向に突出するものであり、該外周面に螺旋状に設けられている。
【００２７】
傾斜部３２２は、突起部３２１により構成されるピッチ間に設けられるものである。ここで、突起部３２１により構成されるピッチ間とは、本実施の形態では、スクリュー型搬送部材３０を軸部３１の中心軸方向と直交する方向から見た場合に、互いに隣り合う突起部３２１の間をいう。
【００２８】
この傾斜部３２２は、一の突起部３２１の外端部から他の突起部３２１の内端部に向けて、すなわち右側の突起部３２１の外端部から左側の突起部３２１の内端部に向けて、軸部３１の外周面を覆う態様で傾斜するものである。
【００２９】
以上のような構成を有する硬貨搬送装置１０においては、モータ４２の駆動力が付与されることにより、スクリュー型搬送部材３０が、自身の中心軸（軸部３１の中心軸）を軸心としてその軸心回りに回転することで、収納部５より繰り出されて入口２６より進入した硬貨を、次のように搬送する。
【００３０】
すなわち、図６に示すように、入口２６より進入した硬貨に当接して、突起部３２１により構成されるピッチ間に硬貨を１枚ずつ収納した状態で右方に向けて搬送する。このようにして右方に向けて搬送した硬貨を、その後に出口２７を通じて前方に向けて払い出すことで出金部６に搬送する。
【００３１】
以上説明したように、本実施の形態である硬貨搬送装置１０によれば、互いに対向する態様で設置されたガイド壁２１，２２間に設置された円柱状の軸部３１と、この軸部３１の外周面に径外方向に突出する突起部３２１が螺旋状に設けられた刃部３２とを有するスクリュー型搬送部材３０が、軸部３１の中心軸回りに回転することで硬貨を搬送するので、搬送される硬貨による汚れ等に起因する搬送力の低下や傾輪の発生という搬送不具合が生ずることを抑制できる。従って、搬送力の低下や傾輪の発生等を抑制して硬貨の搬送を良好に行うことができる。
【００３２】
上記硬貨搬送装置１０によれば、スクリュー型搬送部材３０を構成する刃部３２は、突起部３２１により構成されるピッチ間において、一の突起部３２１の外端部から他の突起部３２１の内端部に向けて軸部３１の外周面を覆う態様で傾斜する傾斜部３２２を有しているので、傾斜部３２２とガイド壁２１，２２との間隙Ｓを小さくすることができ、該間隙Ｓに硬貨が進入することにより生ずる硬貨詰まりの発生を抑制することができる。
【００３３】
以上、本発明の好適な実施の形態について説明したが、本発明はこれに限定されるものではなく、種々の変更を行うことができる。
【００３４】
上述した実施の形態では、硬貨搬送装置１０は、収納部５から繰り出された硬貨を出金部６に搬送するものであったが、本発明においては、硬貨処理機１における硬貨の搬送を行う個所であれば、どの個所に適用してもよい。
【符号の説明】
【００３５】
１  硬貨処理機
２  入金部
３  検銭部
４  振分部
５  収納部
６  出金部
１０  硬貨搬送装置
２０  軸部
２１  前側ガイド壁
２２  後側ガイド壁
２３  側板
２４  側板
２５  収容空間
２６  入口
２７  出口
３０  スクリュー型搬送部材
３１  軸部
３１１  右側突部
３１２  左側突部
３２  刃部
３２１  突起部
３２２  傾斜部
Ｓ  間隙
【図１】
2018088159.tif 000003
【図２】
2018088159.tif 000004
【図３】
2018088159.tif 000005
【図４】
2018088159.tif 000006
【図５】
2018088159.tif 000007
【図６】
2018088159.tif 000008